(57)【要約】本発明は、カード本体（１）に挿入する少なくとも１つの部品を有し、少なくとも１つの部品がカード本体（１）に配置された中間キャリヤー（２）に装着され、そして中間キャリヤー（２）が少なくとも１つの部品（３）の機能的な構成部分であるスマートカードモジュールを提案する。中間キャリヤー（２）が、少なくとも１つの部品（３）への電気接続を供給するように機能し、部品の構成部分を取って代わるコンダクタートラック構造（４）を有するスマートカードモジュールを提案する。【選択図】図１
2004527851.tif 000002
【特許請求の範囲】
【請求項１】
カード本体（１）に挿入されるスマートカードモジュールであって、少なくとも１つの部品（３）および中間キャリヤー（２）を有し、該少なくとも１つの部品（３）が該カード本体（１）に配置された中間キャリヤー（２）に装着され、中間キャリヤー（２）が該少なくとも１つの部品（３）の機能的な構成部分をなし、そして、該部品（３）のうちの１つがキーパッドである、スマートカードモジュール。
【請求項２】
前記中間キャリヤー（２）が、前記少なくとも１つの部品（３）への電気接続を供給するように機能し、該部品の構成部分を取って代わるコンダクタートラック構造（４）を有する、請求項１に記載のスマートカードモジュール。
【請求項３】
前記キーパッドが、前記カード本体の表面上に位置するカバリングシート（５）と前記中間キャリヤー（２）に端子接続されたスイッチングシート（６）とを有する、請求項１または２に記載のスマートカードモジュール。
【請求項４】
前記部品のうちの１つが（３）チップモジュール（７）である、請求項１から３のいずれか１つに記載のスマートカードモジュール。
【請求項５】
請求項１から４のいずれか１つに記載の少なくとも１つのスマートカードモジュールを有する、スマートカード。
【発明の詳細な説明】
【背景技術】
【０００１】
本発明は、カード本体表面に構造部品を有するシステムオンカード用カード本体に挿入されるフレキシブルモジュールに関する。
【０００２】
スマートカードの製造中、フレキシブルキャリヤー、またはカード本体の表面上にシステムオンカードの複数の部品を挿入する必要がある。この場合、部品は一方で、キャリヤー、あるいはカード本体表面との面一になるように終端される必要がある。他方で、完成したスマートカードの厚みは規格化された厚みを超えてはならない。
【０００３】
スマートカードの機能性がシステムオンカードによりますます拡大するため、データ入力機能をスマートカードに備えることが所望される。
【０００４】
最も単純な場合の１つだけキーがある公知のキーパッドは、カバリングシートおよびベースシートを含む。概して同じようにスイッチングシートに挿入された切り替え部品は、カバリングシートとベースシートとの間に配置される。従来技術から公知であり、例えば、携帯電話およびチェックカードサイズのポケット電卓に利用されているキーパッドは外部からアクセス可能な外部端子を有する完成したモジュールとして存在する。完成したモジュールは、携帯電話またはポケット電卓のハウジングに挿入され、ハウジングには機械的に接続され、電話またはポケット電卓の他の部品には、電気端子を介して接続される。しかしながら、キーパッドモジュールは、約７００μｍの厚さの規格化スマートカードに集積することができるようにするためには厚すぎる。
【発明の開示】
【課題を解決するための手段】
【０００５】
本発明の目的は、スマートカードの厚さを考慮に入れて、スマートカードの平坦な表面を保証するように、部品、特にデータ入力装置を規格スマートカードに挿入することができる可能性を提供することである。
【０００６】
本目的は、請求項１の特徴を有するスマートカードモジュールにより達成される。有用な改良点は、従属請求項で明らかになる。
【０００７】
本発明によるスマートカードモジュールは、少なくとも１つの部品が装着された中間キャリヤーを備える。スマートカードのカード本体への挿入後、中間キャリヤーはガード本体に配置され、１つの部品、あるいは、少なくとも１つの部品はカード本体表面に位置し、それゆえ、外部からのアクセスが可能である。もともとシステムオンカードにある中間キャリヤーが部品の機能的な構成部分として使用されるという事実により、そうでない場合には、通例の厚さのため使用されない部品が、規格スマートカードに集積され得る。
【０００８】
すなわち、本発明は、中間キャリヤーを部品の構成部分の代わりとして使用し、その結果、部品の残りの部分の厚さを、そうでない場合にはモジュールとして存在する部品に比べて低減することができるようにすることを提案する。
【０００９】
モジュールとして存在する部品は、電気部品が取り付けられるキャリヤー基板を常に有する。キャリヤー基板においては、外部端子が下側、または、縁端部に規則的に装着され、これらの端子を介して部品は電気的に端子接続される。
【００１０】
本発明によると、キャリヤー基板は、部品の電気部品がスマートカードモジュールの中間キャリヤーに直接端子接続されることにより、省かれ得る。本発明の１つの有用な発展により、部品が少なくとも１つのキーを有するキーパッドである場合には、キャリヤー基板の代わりをするベースシートは省略され得る。カード本体表面に位置するカバリングシートに覆われたスイッチングシートは中間キャリヤーに直接端子接続され得る。
【００１１】
それゆえ、中間キャリヤーは、好ましくは、少なくとも１つの部品への電気接続を生じさせるコンダクタートラック構造を有する。
【００１２】
その他の部品、例えば、チップモジュール、あるいは、表示装置は中間キャリヤーに有用に設けられ得る。部品の電気相互接続は、中間キャリヤーのコンダクタートラック構造により、とりわけ単純になる。
【００１３】
上記ベースシートを省くことにより、キーパッドの厚さが規格スマートカードへ組込むことが可能になるように低減される。
【００１４】
本発明は、キーパッドの場合においてのみならず、通常モジュールとして存在し、外部端子を有するキャリヤー基板を有する全ての部品の場合においても使用され得る。これら全ての部品において、それぞれの電気部品を中間キャリヤーに直接備え付けることによってキャリヤー基板を省き、それに伴い厚さを低減することが可能である。
【００１５】
それぞれの部品を有する中間キャリヤーはキャリヤー、または、カード本体に配置され得る。さらに、この場合においては、個々の中間キャリヤーがキャリヤー、または、カード本体に装着される必要はない。他の中間キャリヤーのうちの１つが同時にスマートカードの表面を形成し得、部品は中間キャリヤーの穴に挿入されてもよいし、機械的に接続されてもよい。
【００１６】
中間キャリヤー、そして、中間キャリヤーが部品の機能的な構成部分をなす中間キャリヤーに付けられた部品を用いる本発明によるチップモジュールの実施形態の１つのあり得る実施例は、添付の図面に断面が図示されている。
【００１７】
中間キャリヤー２は、所定の大きさのカード本体１に挿入される。中間キャリヤー上には公知の設計のチップモジュール７およびキーパッドの形態の部品３が取り付けられている。チップモジュール７は、完成したモジュールとして形成され、部品３はモジュールとして存在しない。チップモジュール７とキーパッド３との両方は、平面領域を設けるためにカード本体１表面と面一になるように終端される。キーパッドはカード本体表面に位置する被覆層５、および、被覆層５と中間キャリヤー２との間にあるスイッチングシート６を含む。スイッチングシート６はキーパッドの電気部品すなわち本質的にはキーを含む。キーは中間キャリヤー２に取り付けられたコンダクタートラック構造４に電気的に接続されている。結果的に、コンダクタートラック構造を有する中間キャリヤー２は、導入部で記載されたキーパッドモジュールの場合に慣習的な外部端子を有するベースシートに取って代わる。中間キャリヤー２はそのようにしてキーパッド３の機能的な構成部分になる。この結果、キーパッドが約７００μｍの厚さの規格化スマートカード本体に組込まれることができるようにキーパッドの厚さが低減される。このタイプのキーパッドは、例えば携帯電話から知られる公知のメンブレインキーパッドから得ることができる。
【００１８】
本発明は、また、キーパッド３をスマートカードの残りの部品に端子接続することを容易にする。
【００１９】
本実施例は、同様に中間キャリヤー上に装着され、コンダクタートラック構造４を介して容易にキーパッドに電気的に接続され得るチップモジュール７を単に例示するに過ぎない。本発明はこれに制限されず、例えば表示装置やエネルギー蓄積部のような他の複数の部品を含み得る。
【００２０】
この場合、チップモジュールは端子を有するように設計されてもよいし、有さないように設計されてもよいし、ハイブリッド様式で設計されてもよい。
【図面の簡単な説明】
【００２１】
【図１】図１は、本発明によるチップモジュールの実施形態の１つのあり得る実施例を示す。
【符号の説明】
【００２２】
１  カード本体
２  中間キャリヤー
３  部品
４  コンダクタートラック構造
５  カバリングシート
６  スイッチングシート
７  チップモジュール
【国際公開パンフレット】
2004527851.tif 000003
2004527851.tif 000004
2004527851.tif 000005
2004527851.tif 000006
2004527851.tif 000007
2004527851.tif 000008
2004527851.tif 000009
2004527851.tif 000010
2004527851.tif 000011
【手続補正書】
【提出日】平成15年4月10日(2003.4.10)
【手続補正１】
【補正対象書類名】特許請求の範囲
【補正対象項目名】全文
【補正方法】変更
【補正の内容】
【特許請求の範囲】
【請求項１】
カード本体（１）に挿入されるように決定されたスマートカードモジュールがあって、スマートカードキーパッドの機能的な部品であり、少なくとも１つのさらなる部品（３）用のキャリヤーである１つの中間キャリヤー（２）を有し、該中間キャリヤー上に実現された該部品と該中間キャリヤー（２）とは該カード本体に装着されるように設けられたモジュールとして実現されることを特徴とし、該さらなる部品がモジュール外からアクセス可能であり、従って該カード本体外からアクセス可能であることを特徴とする、スマートカードモジュール。
【請求項２】
前記中間キャリヤー（２）が前記少なくとも１つの部品（３）と前記スマートカードキーパッドとの間に電気接続を供給するように機能するコンダクタートラック構造（４）を含むことを特徴とする、請求項１に記載のスマートカードモジュール。
【請求項３】
前記キーパッドが前記カード本体表面に配置されたカバリングシート（５）と前記中間キャリヤー（２）に端子接続されたスイッチングシート（６）とを有することを特徴とする、請求項１または２に記載のスマートカードモジュール。
【請求項４】
前記部品（３）のうちの１つがチップモジュール（７）であることを特徴とする、請求項１から３のいずれか１つに記載のスマートカードモジュール。
【請求項５】
請求項１から４のいずれか１つに記載の少なくとも１つのスマートカードキーパッドを有するスマートカード。
【国際調査報告】
2004527851.tif 000012
2004527851.tif 000013
2004527851.tif 000014
2004527851.tif 000015
2004527851.tif 000016
2004527851.tif 000017